【事件の表示】
　平成１０年特許願第　３９６２０号「現像剤カートリッジ」拒絶査定不服審判事件〔平成１１年　８月１７日出願公開、特開平１１−２２３９８６〕について、次のとおり審決する。
【結　論】
　本件審判の請求は、成り立たない。
【理　由】
１．手続の経緯
　本願は、平成１０年２月５日の出願であって、平成１６年７月８日付で拒絶査定がなされ、これに対して、平成１６年８月２５日に拒絶査定に対する審判請求がなされたものである。
　
２．本願発明
　本願の請求項１に係る発明は、願書に最初に添付した明細書及び図面（以下、「当初明細書」という。）の記載から見て、その特許請求の範囲の請求項１に記載された次のとおりのもの（以下、「本願発明」という。）と認める。
「少なくともトナーを含む現像剤を収容する筒状体と、
　前記筒状体内に配設され、その一端を筒状体の一端側で軸支されて該筒状体の中心軸近辺を軸方向にその他端側近傍まで伸びる回転軸と、該回転軸の他端に連結又は一体に形成されて該回転軸を軸中心に該筒状体の前記一端側近傍まで巻回されるスパイラル部とからなるスパイラルアジテータと、
　前記筒状体の他端側に開口された現像剤供給口とを備え、
　前記回転軸の回動により現像剤を前記供給口の方へ搬送するようにされた現像剤カートリッジにおいて、
　前記スパイラルアジテータの前記スパイラル部は前記筒状体の一端側近傍において、前記回転軸に固定されていることを特徴とする現像剤カートリッジ。」
　
３．引用例
　原査定の拒絶の理由に引用された、本願の出願前に頒布された特開平４−２５０４７７号公報（以下、「引用例１」という。）には、次の事項が記載されている。
ア．【００１９】
　次に本実施例のトナー供給装置におけるスパイラルアジテータを有するトナーカートリッジが配設される第２現像手段５３について更に詳述する。
・・・・・
【００２４】
　図５（ａ）及び（ｂ）に示すように、カートリッジ1021は紙から形成された円筒状部1023aと樹脂から形成された両側壁部1023bとからなる筒状のケース本体1023、金属線をコイル状に巻くことによって形成されたスパイラルアジテータ1024及びこのスパイラルアジテータ1024が連結されるカップリング1025から構成されている。
【００２５】
　ケース本体1023の一端側の円筒状部1023aには、リザーブタンク1022にトナーを供給するためのトナー補給口1023cが設けられている。トナー補給口1023cは後述するリザーブタンク1022のタンク部1030の一方のトナー収容部1030aに開口するようになっている。
【００２６】
　スパイラルアジテータ1024は駆動力伝達軸1024cとスパイラル部1024dとから構成され、トナーをトナー補給口1023cへ搬送すると共にトナーを攪拌するためのものである。スパイラル部1024dのトナー補給口側の端部1024aが自由端とされており、一方、スパイラル部1024dのトナー補給口側と反対側の端部1024bは、駆動力伝達軸1024cに一体に連結されており、この駆動力伝達軸1024cはスパイラルアジテータ1024の回転中心に沿ってトナー補給口1023cの方へ延設され、右側壁部1023bの中心部に回動自在に取り付けられているカップリング1025にその端部が連結されている。
　
イ．【００４４】
　図８に示す実施例ではスパイラルアジテータ1024の駆動力伝達軸1024cに係止部材1024eを設けており、この係止部材1024eにスパイラル部1024dの一端1024aを係止している。これにより、スパイラル部1024dの一端1024aは回転が可能であるが軸方向の移動は係止部材1024eにより不能となっている。
　
ウ．【００４７】
　更に図１１に示す実施例は、図８に示す実施例と類似しているが、この実施例では係止部材1024eを湾曲させ、この湾曲部に一端1024aを係止させている。これにより、スパイラル部1024dの一端1024aと係止部材1024eとの係止を確実にしている。この実施例においても前述の実施例と同様の作用効果が得られる。
　
　したがって、上記記載事項、及び図面から、引用例１には、
「円筒状部1023aと、
　前記円筒状部1023aに配設され、その一端を円筒状部1023aの一端側で軸支されて該円筒状部1023aの中心軸近辺を軸方向にその他端側近傍まで伸びる駆動力伝達軸1024cと、該駆動力伝達軸1024cの他端に一体に連結されて該駆動力伝達軸1024cを軸中心に該円筒状部1023aの前記一端側近傍まで巻回されるスパイラル部とからなるスパイラルアジテータ1024と、
　前記円筒状部1023aの一端側に開口されたトナー補給口1023cとを備え、
　前記駆動力伝達軸1024cの回動により現像剤を前記トナー補給口1023cの方へ搬送するようにされたトナーカートリッジにおいて、
　前記スパイラルアジテータ1024の前記スパイラル部は前記筒状体の一端側近傍において、前記駆動力伝達軸1024cに係止されていることを特徴とするトナーカートリッジ。」（以下、「引用発明」という。）が記載されていると認められる。
　
４．対比
　本願発明と引用発明とを対比する。
　引用発明の「トナーカートリッジ」を構成する「円筒状部1023a」は、「少なくともトナーを含む現像剤を収容」していることは自明であり、本願発明の「少なくともトナーを含む現像剤を収容する筒状体」に相当する。
　引用発明の「駆動力伝達軸1024c」、「一体に連結されて」、「スパイラルアジテータ1024」、「トナー補給口1023c」は、本願発明の「回転軸」、「連結又は一体に形成されて」、「スパイラルアジテータ」、「現像剤供給口」に相当する。
　
　また、現像剤供給口の位置に関し、引用発明の「（円筒状部1023aの）一端側」と、本願発明の「（筒状体の）他端側」とは、ともに「端側」である点で一致する。
　
　また、引用発明の「係止」と、本願発明の「固定」とは、ともに「支持」である点で一致する。
　
　したがって、両者は、「少なくともトナーを含む現像剤を収容する筒状体と、
　前記筒状体内に配設され、その一端を筒状体の一端側で軸支されて該筒状体の中心軸近辺を軸方向にその他端側近傍まで伸びる回転軸と、該回転軸の他端に連結又は一体に形成されて該回転軸を軸中心に該筒状体の前記一端側近傍まで巻回されるスパイラル部とからなるスパイラルアジテータと、
　前記筒状体の端側に開口された現像剤供給口とを備え、
　前記回転軸の回動により現像剤を前記供給口の方へ搬送するようにされた現像剤カートリッジにおいて、
　前記スパイラルアジテータの前記スパイラル部は前記筒状体の一端側近傍において、前記回転軸に支持されていることを特徴とする現像剤カートリッジ。」である点で一致し、以下の各点で相違する。
　
相違点１；
　現像剤供給口の位置が、本願発明は、「筒状体の他端側に開口され」ているのに対し、引用発明では、「円筒状部1023aの一端側に開口され」ている点。
　
相違点２；
　スパイラル部と回転軸との支持が、本願発明は、「固定」であるのに対し、引用発明では、「係止」である点。
　
５．当審の判断
相違点１について
　現像剤供給口を筒状体のいずれの端部に設けるかは、当業者が必要に応じて決定し得る設計事項である。本願発明のように、筒状体の他端側に開口されたものも従来周知（例えば、特開平８−１６０５８号公報、特開平８−１３７２３１号公報等参照。）の技術事項であり、格別のものでもない。
　
相違点２について
　引用発明の「係止」も、「固定」の概念に含まれるものであり、さらに、カートリッジに関するものではないとしても、スパイラル部の端部を回転軸に固定することは、従来周知（例えば、特開昭６０−２２１７７８号公報、実願昭６２−１２４７９７号（実開昭６４−３０５６１号）のマイクロフィルム、特表平３−５０３０８８号公報、特開平３−６２０６２号公報等参照。）の技術事項であるので、引用発明において、上記相違点２に係る本願発明の構成を限定することは、当業者が容易に想到し得るものである。
　
　そして、本願発明の効果も、引用発明、及び従来周知の技術事項から予測される範囲のもので格別のものではない。
　
６．むすび
　したがって、本願発明は、引用例１に記載された発明及び従来周知の技術事項に基づいて、当業者が容易に発明をすることができたものであるから、特許法第２９条第２項の規定により特許を受けることができない。
　よって、結論のとおり審決する。